(57)【要約】  収納トレイは、収納トレイ本体（１ａ）と、収納トレイ本体（１ａ）に形成され、液晶表示パネル（１０）を収納するための収納凹部（３）と、収納凹部（３）に設けられるとともに、液晶表示パネル（１０）を支持するための複数のピン（１６）とを備えている。そして、複数のピン（１６）の先端部（１８）が円弧状に配列されるように、複数のピン（１６）が収納凹部（３）の表面（３ａ）に設けられている。
2011036826.tif 000002
【特許請求の範囲】
【請求項１】
収納トレイ本体と、
前記収納トレイ本体に形成され、板状物を収納するための収納凹部と、
前記収納凹部に設けられるとともに、前記板状物を支持するための複数の支持部材と
を備え、
前記複数の支持部材の先端部が円弧状に配列されるように、前記複数の支持部材が前記収納凹部の表面に設けられていることを特徴とする収納トレイ。
【請求項２】
前記支持部材は柔軟性を有することを特徴とする請求項１に記載の収納トレイ。
【請求項３】
前記支持部材は、前記収納凹部の表面に取り付けられた支柱部と、該支柱部に取り付けられた前記先端部とにより構成され、前記先端部の径をＲ１、前記支柱部の径をＲ２とした場合に、Ｒ１＞Ｒ２なる関係が成立することを特徴とする請求項１または請求項２に記載の収納トレイ。
【請求項４】
前記支柱部は略円柱形状を有するとともに、前記先端部は略球形状を有することを特徴とする請求項３に記載の収納トレイ。
【請求項５】
前記収納凹部の表面が断面略円弧形状を有するとともに、前記複数の支持部材は、前記収納凹部の表面に沿って円弧状に配列されていることを特徴とする請求項１〜請求項４のいずれか１項に記載の収納トレイ。
【請求項６】
前記収納トレイ本体が、ＡＢＳ樹脂、ポリプロピレン樹脂、発泡ＰＥＴ樹脂およびポリスチレン樹脂からなる群より選択されるいずれかの材料により形成されていることを特徴とする請求項１〜請求項５のいずれか１項に記載の収納トレイ。
【請求項７】
前記支持部材が、ポリ塩化ビニル、ＡＢＳ樹脂、ポリプロピレン樹脂、発泡ＰＥＴ樹脂、およびポリスチレン樹脂からなる群より選択されるいずれかの材料により形成されていることを特徴とする請求項１〜請求項６のいずれか１項に記載の収納トレイ。
【請求項８】
前記支持部材と前記収納トレイ本体が同一の材料により形成されていることを特徴とする請求項１〜請求項５のいずれか１項に記載の収納トレイ。
【請求項９】
前記板状物が液晶表示パネルであることを特徴とする請求項１〜請求項８のいずれか１項に記載の収納トレイ。
【発明の詳細な説明】
【技術分野】
【０００１】
本発明は、液晶表示パネル等の平板状の物品（以下、「板状物」という。）を収納するために使用される収納トレイに関する。
【背景技術】
【０００２】
従来、液晶表示パネルや携帯電話等の平板状の製品を運送する場合は、これらの製品において傷をつけたり汚したりしないようにするために、所望の製品の形状に合わせて凹部を設けた収納トレイが包装として用いられている。この収納トレイには、通常、複数の同形状の凹部が２次元的に配置されており、これらの凹部に１つずつ製品が収納される構成となっている。【０００３】
このような収納トレイとしては、例えば、平板の一面に一又は複数の凹部を備え、これら凹部の夫々に、対応する形状及びサイズを有する物品を嵌め込み収納する構成となっているものが開示されている（例えば、特許文献１参照）。また、矩形の外枠の内側に長辺及び短辺に沿って夫々スライド移動する２つの移動枠を備え、これらの移動枠及び前記外枠の残りの２辺により矩形平板状の物品の周縁を支持する構成とした収納トレイが開示されている（例えば、特許文献２参照）。【０００４】
しかし、上記特許文献１に記載の収納トレイを使用した場合、物品収納用の凹部の大きさ、数、及びこれらの組み合わせを変更した多種の収納トレイが必要となるため、コストが増大するという問題があった。【０００５】
また、上記特許文献２に記載の収納トレイを使用した場合、移動枠を移動させることにより異なるサイズの液晶表示パネルの収納に対応させることが可能である。しかし、最大サイズの液晶表示パネルを収納可能に構成された外枠に、最小サイズの液晶表示パネルを収納する際の収納効率が低く、多くの液晶表示パネルを保管する際、本来不要な空間が必要となるという問題があった。【０００６】
そこで、これらの不都合を回避すべく、サイズの異なる平板状の物品を安定して十能することができる収納トレイが提案されている。より具体的には、この収納トレイは、底板の上面にスライド可能に取付けられ、物品の周縁を支持する受け座を夫々の上部に有する複数の受け具と、受け具のスライド域に対応して底板に形成されたピン孔と、ピン孔に装着され、夫々の受け具に設けた係合部と各別に係合して、各受け具を夫々のスライド域内の所定位置に位置決めする位置決めピンとを備えている。そして、このような構成により、平板状の物品をサイズの如何に関わらず、安定して平置き収納することができるとともに、収納形態を変えて複数の物品の一括収納に対応することができると記載されている（例えば、特許文献３参照）。
【先行技術文献】
【特許文献】
【０００７】
【特許文献１】特開２００２−３５３３０２号公報
【特許文献２】特開平１１−３６０７４号公報
【特許文献３】特開２００５−１４５４６１号公報
【発明の概要】
【発明が解決しようとする課題】
【０００８】
しかし、上記特許文献３に記載の収納トレイにおいては、収納される平板状の物品のサイズに合わせて、受け具をスライドする必要があるため、収納作業が繁雑になるという問題があった。特に、携帯電話等の小さい平板状の物品を収納する際には、収納する個数に応じて、多数の受け具をスライドする必要があるため、収納作業がより一層繁雑になるという問題があった。【０００９】
また、収納する板状物が小さい場合は、受け具により板状物を支持することが困難になるため、運送の際の振動や落下により、収納された物品が上下方向または左右方向に大きく振動し（即ち、ガタツク）、結果として、収納された物品が損傷してしまう場合があるという問題があった。【００１０】
更に、受け具や受け具をスライドさせるためのピン孔、位置決めピン等を設ける必要があるため、収納トレイの構成が複雑になるとともに、コストが増大するという問題があった。特に、海外への運送を行う場合は、運送後の空の収納トレイを回収するためには、輸送費等のコストがかかるため、回収の必要のない安価な収納トレイが必要になる。【００１１】
そこで、本発明は、上述の問題に鑑みてなされたものであり、収納された物品の損傷を確実に防止することができるとともに、収納作業を容易に行うことができる安価な収納トレイを提供することを目的とする。
【課題を解決するための手段】
【００１２】
上記目的を達成するために、本発明の収納トレイは、収納トレイ本体と、収納トレイ本体に形成され、板状物を収納するための収納凹部と、収納凹部に設けられるとともに、板状物を支持するための複数の支持部材とを備え、複数の支持部材の先端部が円弧状に配列されるように、複数の支持部材が収納凹部の表面に設けられていることを特徴とする。【００１３】
同構成によれば、収納凹部のサイズに比し、板状物のサイズが小さい場合であっても、板状物を複数の支持部材により支持することができる。従って、運送の際の振動や落下により、収納された板状物が上下方向または左右方向に大きく振動することを防止することができる。その結果、収納凹部のサイズに比し、板状物のサイズが小さい場合であっても、板状物の損傷を防止することができる。【００１４】
また、従来の収納トレイとは異なり、収納される板状物のサイズに合わせて受け具等の部材をスライドさせることなく、板状物を収納凹部に収納することができる。従って、収納作業を容易に行うことができる。【００１５】
また、従来の収納トレイとは異なり、受け具や受け具をスライドさせるためのピン孔、位置決めピン等が不要であるため、収納トレイの構成が簡単になるとともに、コストアップを抑制することができる。【００１６】
また、サイズの異なる複数の板状物を収納凹部に収納することが可能になる。【００１７】
また、本発明の収納トレイにおいては、支持部材は柔軟性を有する構成としてもよい。【００１８】
同構成によれば、板状物のサイズに応じて、支持部材を変形自在に撓ませることが可能になる。従って、板状物のサイズ変化に対応して、板状物を収納することができる。【００１９】
また、本発明の収納トレイにおいては、支持部材は、収納凹部の表面に取り付けられた支柱部と、支柱部に取り付けられた先端部とにより構成され、先端部の径をＲ１、支柱部の径をＲ２とした場合に、Ｒ１＞Ｒ２なる関係が成立する構成としてもよい。【００２０】
同構成によれば、板状物が複数の支持部材により支持される際に、隣接する支持部材の各々に設けられた２つの先端部により、板状物を挟持することが可能になる。従って、収納された板状物の上下方向における振動を確実に防止することが可能になるため、結果として、運送の際の振動や落下に起因する板状物の損傷をより一層防止することができる。【００２１】
また、本発明の収納トレイにおいては、支柱部は略円柱形状を有するとともに、先端部は略球形状を有する構成としてもよい。【００２２】
同構成によれば、板状物を複数の支持部材により支持する際に、板状物と支持部材の接触に起因する板状物の損傷を確実に防止することができる。【００２３】
また、本発明の収納トレイにおいては、収納凹部の表面が断面略円弧形状を有するとともに、複数の支持部材は、収納凹部の表面に沿って円弧状に配列されている構成としてもよい。【００２４】
同構成によれば、簡単な構成で、複数の支持部材の先端部を円弧状に配列させることが可能になる。【００２５】
また、本発明の収納トレイにおいては、収納トレイ本体が、ＡＢＳ樹脂、ポリプロピレン樹脂、発泡ＰＥＴ樹脂およびポリスチレン樹脂からなる群より選択されるいずれかの材料により形成されていてもよい。【００２６】
同構成によれば、収納トレイの成形性を向上させるとともに、コストの低減化と軽量化を図ることができる。【００２７】
また、本発明の収納トレイにおいては、支持部材が、ポリ塩化ビニル、ＡＢＳ樹脂、ポリプロピレン樹脂、発泡ＰＥＴ樹脂、およびポリスチレン樹脂からなる群より選択されるいずれかの材料により形成されていてもよい。【００２８】
同構成によれば、安価かつ汎用性のある材料により、支持部材に柔軟性を付与することが可能になる。【００２９】
また、本発明の収納トレイにおいては、支持部材と収納トレイ本体が同一の材料により形成されていてもよい。【００３０】
同構成によれば、支持部材を、例えば、プレス成型により形成することができるため、支持部材の製造が容易になるとともに、製造コストを抑制することができる。【００３１】
また、本発明の収納トレイは、収納された物品の損傷を確実に防止しすることができるとともに、収納作業を容易に行うことができるという優れた特性を備えている。従って、本発明は、板状物が液晶表示パネルである収納トレイに好適に使用される。
【発明の効果】
【００３２】
本発明によれば、収納された物品の損傷を確実に防止することができるとともに、収納作業を容易に行うことができる安価な収納トレイを提供することが可能になる。
【図面の簡単な説明】
【００３３】
【図１】本発明の第１の実施形態に係る収納トレイの斜視図である。
【図２】本発明の第１の実施形態に係る収納トレイに収納される液晶表示パネルを示す斜視図である。
【図３】本発明の第１の実施形態に係る収納トレイに設けられた収納凹部の拡大斜視図である。
【図４】図３のＡ−Ａ断面図である。
【図５】本発明の第１の実施形態に係る収納トレイの収納凹部に液晶表示パネルを収納した状態を示す断面図である。
【図６】本発明の第１の実施形態に係る収納トレイのピンが有する柔軟性を説明するための断面図である。
【図７】本発明の第１の実施形態に係る収納トレイのピンを構成する支柱部の径と先端部の径との関係を説明するための断面図である。
【図８】本発明の第１の実施形態に係る収納トレイの収納凹部にサイズの異なる複数の液晶表示パネルを収納した状態を示す断面図である。
【図９】本発明の第２の実施形態に係る収納トレイの斜視図である。
【図１０】本発明の第２の実施形態に係る収納トレイに設けられた収納凹部の拡大斜視図である。
【図１１】図１０のＢ−Ｂ断面図である。
【図１２】本発明の第２の実施形態に係る収納トレイの収納凹部に液晶表示パネルを収納した状態を示す断面図である。
【図１３】本発明の第２の実施形態に係る収納トレイの収納凹部に液晶表示パネルを傾斜させた状態で収納した状態を示す断面図である。
【図１４】収納トレイに設けられた収納凹部の変形例を説明するための断面図である。
【発明を実施するための形態】
【００３４】
以下、本発明の実施形態を図面に基づいて詳細に説明する。尚、本発明は、以下の実施形態に限定されるものではない。
【００３５】
（第１の実施形態）
図１は、本発明の第１の実施形態に係る収納トレイの斜視図である。図１に示すように、本実施形態における収納トレイ１は、収納トレイ本体１ａと、収納トレイ本体１ａが有する上面２に２次元的に配列されて形成されるとともに、液晶表示パネル等の板状物を収納するための収納部としての複数の収納凹部３とを備えている。
【００３６】
なお、本実施形態においては、図１に示すように、収納トレイ１に収納凹部３が１２個設けられている。この収納凹部３の個数は、特に限定されず、少なくとも１個の収納凹部３が収納トレイ１に設けられていれば良い。
【００３７】
また、図１に示すように、収納トレイ１は、上面２に配列された複数の位置規定用凹部５を備えている。この位置規制用凹部５は、複数の収納トレイ１を多段に積み重ねた際に、上下の収納トレイ１の位置を固定させて規定するものである。
【００３８】
また、位置規制用凹部５は、図１に示すように、収納トレイ１の側部４の近傍と収納凹部３の周囲に設けられている。そして、複数の収納トレイ１を積み重ねる際に、下側の収納トレイ１に設けられた位置規定用凹部５に、上側の収納トレイ１に設けられた位置規定用凹部５の底部が嵌合することにより、上下に積み重ねた収納トレイ１が固定されて安定化し、運送時の振動などによって積み重なった収納トレイ１の位置ズレを防止することができる。
【００３９】
また、この位置規制用凹部５は、収納トレイ１を上下に積み重ねた際に、下側の収納凹部３に収納された板状物が上側の収納トレイ１と接触しないように、下側の収納トレイ１の上面２と上側の収納トレイ１の下面６との間における隙間を確保する機能も有する。
【００４０】
次に、収納トレイに収納される板状物の一例としての液晶表示パネルについて説明する。図２は、本発明の第１の実施形態に係る収納トレイに収納される液晶表示パネルを示す斜視図である。
【００４１】
図２に示すように、液晶表示パネル１０は、スイッチング素子であるＴＦＴ（Thin-Film Transistor）が複数形成されたＴＦＴ基板７と、ＴＦＴ基板７に対向して配置されたＣＦ基板８と、ＴＦＴ基板７及びＣＦ基板８の間に設けられた液晶層（図示省略）とを備えている。なお、ＴＦＴ基板７及びＣＦ基板８は、それぞれ矩形板状に形成されており、液晶表示パネル１０も矩形板状に形成されている。
【００４２】
また、液晶表示パネル１０において、ＴＦＴ基板７の表面には、偏光板（不図示）が設けられており、ＣＦ基板８の表面には、偏光板９が設けられている。また、ＴＦＴ基板７には、液晶表示パネル１０の駆動を制御するための回路部品１２が搭載されるとともに、当該回路部品１２に信号を供給するためのフレキシブルプリント基板１３が接続されている。また、フレキシブルプリント基板１３には、外部基板（不図示）に接続される端子部１５が形成されている。
【００４３】
なお、この液晶表示パネル１０は、収納トレイ１に収納される板状物の一例であり、収納される板状物はこれに限られるものではない。
【００４４】
次に、収納トレイ１に設けられた収納凹部３について説明する。図３は、本発明の第１の実施形態に係る収納トレイに設けられた収納凹部の拡大斜視図であり、図４は、図３のＡ−Ａ断面図である。
【００４５】
図３、図４に示すように、収納凹部３には、収納凹部３に収納される上述の液晶表示パネル１０を支持する柔軟性のある支持部材である複数のピン１６が設けられており、当該ピン１６は、収納凹部３の表面３ａに突設されている。
【００４６】
また、ピン１６は、図４に示すように、収納凹部３の表面３ａに取り付けられた支柱部１７と、当該支柱部１７の液晶表示パネル支持側端部に取り付けられた先端部１８により構成されている。この支柱部１７は、略円柱形状を有しており、先端部１８は、略球形状を有している。なお、支柱部１７及び先端部１８は、それぞれ柔軟性を有している。
【００４７】
また、図３、図４に示すように、収納凹部３は、その表面３ａが断面略円弧形状となるように形成されており、収納凹部３の表面３ａに突設された複数のピン１６は、収納凹部３の表面３ａに沿って円弧状に配列されている。即ち、複数のピン１６の先端部１８が円弧状に配列されるように、複数のピン１６が収納凹部３の表面３ａに設けられている。
【００４８】
また、本実施形態における収納トレイ本体１ａを形成する材料としては、特に限定はされないが、収納トレイ１の成形性を向上させるとともに、コストの低減化と軽量化を図るとの観点から、例えば、ＡＢＳ樹脂、ポリプロピレン樹脂、発泡ＰＥＴ樹脂およびポリスチレン樹脂等の材料で形成されていることが好ましい。
【００４９】
また、上述のピン１６を形成する材料としては、特に限定されないが、安価かつ汎用性のある材料により、ピン１６（即ち、支柱部１７及び先端部１８）に柔軟性を付与するとの観点から、ポリ塩化ビニル、ＡＢＳ樹脂、ポリプロピレン樹脂、発泡ＰＥＴ樹脂、およびポリスチレン樹脂等の材料により形成されていることが好ましい。
【００５０】
また、ピン１６を上述の収納トレイ本体１ａと同一の材料により形成する構成としても良い。このような構成により、ピン１６を、例えば、プレス成型により形成（加工）することが可能になるため、ピン１６の製造が容易になるとともに、製造コストを抑制することができる。
【００５１】
以上に説明した収納トレイ１の収納凹部３に液晶表示パネル１０を収納した状態を図５に示す。図５に示すように、収納凹部３に液晶表示パネル１０を収納すると、収納凹部３の表面３ａに突設されたピン１６の先端部１８が液晶表示パネル１０と接触するとともに、ピン１６により、液晶表示パネル１０が支持される。
【００５２】
この際、上述のごとく、複数のピン１６の先端部１８が円弧状に配列されるように、複数のピン１６が収納凹部３の表面３ａに設けられているため、図５に示すように、収納凹部３のサイズに比し、液晶表示パネル１０のサイズが小さい場合であっても、液晶表示パネル１０を複数のピン１６により支持することができる。
【００５３】
従って、運送の際の振動や落下により、収納された液晶表示パネル１０が上下方向または左右方向に大きく振動することを防止することができ、結果として、収納凹部３のサイズに比し、液晶表示パネル１０のサイズが小さい場合であっても、液晶表示パネル１０の損傷を防止することができる。
【００５４】
また、本実施形態の収納トレイ１においては、上記従来の収納トレイとは異なり、収納される液晶表示パネルのサイズに合わせて受け具等の部材をスライドさせることなく、液晶表示パネル１０を収納凹部３に収納することができる。従って、収納作業を容易に行うことができる。
【００５５】
また、上記従来の収納トレイとは異なり、受け具や受け具をスライドさせるためのピン孔、位置決めピン等が不要であるため、収納トレイの構成が簡単になるとともに、コストアップを抑制することができる。
【００５６】
また、上述のごとく、複数のピン１６の先端部１８が円弧状に配列されるように、複数のピン１６が収納凹部３の表面３ａに設けられているため、図８に示すように、サイズの異なる複数（図８においては２個）の液晶表示パネル１０を１個の収納凹部３に収納することが可能になる。なお、上述のごとく、ピン１６は柔軟性を有するため、収納される液晶表示パネル１０のサイズに対応させて、ピン１６の配置を変更する必要はない。
【００５７】
また、上述のごとく、ピン１６は柔軟性を有するため、図６に示すように、液晶表示パネル１０のサイズに応じて、ピン１６の支柱部１７を変形自在に撓ませる（この場合、図中の矢印Ｘの方向に移動させる）ことが可能になる。従って、液晶表示パネル１０のサイズ変化に対応して、当該液晶表示パネル１０を収納することができる。
【００５８】
即ち、本実施形態においては、液晶表示パネル１０のサイズに関係なく（収納される液晶表示パネル１０がどのようなサイズであっても）、液晶表示パネル１０を収納できるとともに、運送の際の振動や落下に起因する液晶表示パネル１０の損傷を防止することができる。
【００５９】
また、本実施形態においては、図７に示すように、先端部１８の径Ｒ１が支柱部１７の径Ｒ２よりも大きく（即ち、Ｒ１＞Ｒ２）なるように構成されている。従って、液晶表示パネル１０がピン１６により支持される際に、図７に示すように、隣接するピン１６の各々に設けられた２つの先端部１８により、上下方向（この場合、図７に示す矢印Ｙの方向）において、液晶表示パネル１０を挟持することが可能になる。その結果、収納された液晶表示パネル１０の上下方向における振動を確実に防止することが可能になるため、運送の際の振動や落下に起因する液晶表示パネル１０の損傷をより一層防止することができる。
【００６０】
また、上述のごとく、この支柱部１７は、略円柱形状を有するとともに、先端部１８は、略球形状を有している。また、支柱部１７及び先端部１８は、それぞれ柔軟性を有している。従って、液晶表示パネル１０を複数のピン１６により支持する際に、液晶表示パネル１０とピン１６との接触に起因する液晶表示パネル１０の損傷を確実に防止することができる。
【００６１】
また、上述のごとく、収納凹部３の表面３ａに突設された複数のピン１６は、収納凹部３の表面３ａに沿って円弧状に配列されているため、簡単な構成で、複数のピン１６の先端部１８を円弧状に配列させることが可能になる。
【００６２】
（第２の実施形態）
次に、本発明の第２の実施形態について説明する。図９は、本発明の第２の実施形態に係る収納トレイの斜視図であり、図１０は、本発明の第２の実施形態に係る収納トレイに設けられた収納凹部の拡大斜視図であり、図１１は、図１０のＢ−Ｂ断面図である。なお、上記第１の実施形態と同様の構成部分については同一の符号を付してその説明を省略する。また、収納される液晶表示パネルについては、上述の第１の実施形態において説明したものと同様であるため、ここでは詳しい説明を省略する。また、本実施形態においても、板状物として、液晶表示パネルを例に挙げて説明する。
【００６３】
本実施形態の収納トレイ２０においては、図９〜図１１に示すように、収納凹部３は、その表面３ａが断面略矩形状となるように形成されている。また、収納凹部３の表面３ａには、複数のピン２１が突設されている。そして、収納凹部３内において、複数のピン２１の先端部２２が円弧状に配列されるように、複数のピン２１が収納凹部３の表面３ａに設けられている。
【００６４】
また、上述のピン２１を形成する材料としては、特に限定されないが、コストの低減化を図るとの観点から、上述の収納トレイ本体１ａと同一材料、即ち、ＡＢＳ樹脂、ポリプロピレン樹脂、発泡ＰＥＴ樹脂およびポリスチレン樹脂等の材料により形成されていることが好ましい。このような構成により、上述の第１の実施形態と同様に、ピン２１を、例えば、プレス成型により形成（加工）することが可能になるため、ピン２１の製造が容易になるとともに、製造コストを抑制することができる。
【００６５】
なお、本実施形態のピン２１は、上記第１の実施形態におけるピン１６と異なり、柔軟性を有していなくても良い。
【００６６】
以上に説明した収納トレイ２０の収納凹部３に液晶表示パネル１０を収納した状態を図１２に示す。図１２に示すように、収納凹部３に液晶表示パネル１０を収納すると、収納凹部３の表面３ａに突設されたピン２１の先端部２２が液晶表示パネル１０と接触するとともに、ピン２１により、液晶表示パネル１０が支持される。
【００６７】
この際、収納凹部３内において、複数のピン２１の先端部２２が円弧状に配列されるように、複数のピン２１が収納凹部３の表面３ａに設けられているため、図１２に示すように、収納凹部３のサイズに比し、液晶表示パネル１０のサイズが小さい場合であっても、液晶表示パネル１０を複数のピン２１により支持することができる。
【００６８】
従って、運送の際の振動や落下により、収納された液晶表示パネル１０が上下方向または左右方向に大きく振動することを防止することができ、結果として、収納凹部３のサイズに比し、液晶表示パネル１０のサイズが小さい場合であっても、液晶表示パネル１０の損傷を防止することができる。
【００６９】
また、本実施形態の収納トレイ２０においては、上記従来の収納トレイとは異なり、収納される液晶表示パネルのサイズに合わせて受け具等の部材をスライドすさせることなく、液晶表示パネル１０を収納凹部３に収納することができる。従って、収納作業を容易に行うことができる。
【００７０】
また、上記従来の収納トレイとは異なり、受け具や受け具をスライドさせるためのピン孔、位置決めピン等が不要であるため、収納トレイの構成が簡単になるとともに、コストアップを抑制することができる。
【００７１】
また、上述のごとく、収納凹部３内において、複数のピン２１の先端部２２が円弧状に配列されるように、複数のピン２１が収納凹部３の表面３ａに設けられているため、図１２に示すように、サイズの異なる複数（図１２においては２個）の液晶表示パネル１０を１個の収納凹部３に収納することが可能になる。
【００７２】
また、ピン２１が柔軟性を有しない場合であっても、図１３に示すように、液晶表示パネル１０を傾斜させた状態で、ピン２１により支持することが可能になる。従って、液晶表示パネル１０のサイズ変化に対応して、当該液晶表示パネル１０を収納することができる。
【００７３】
即ち、本実施形態においても、上述の第１の実施形態の場合と同様に、液晶表示パネル１０のサイズに関係なく（収納される液晶表示パネル１０がどのようなサイズであっても）、液晶表示パネル１０を収納できるとともに、運送の際の振動や落下に起因する液晶表示パネル１０の損傷を防止することができる。
【００７４】
なお、上記実施形態は以下のように変更しても良い。
【００７５】
上述の実施形態においては、収納凹部３の表面３ａが、断面略円弧形状や断面略矩形状となるように形成したが、収納凹部３内において、複数のピンの先端部が円弧状に配列されるように、複数のピンを設けることができる形状であれば、どのような形状を有していても良い。例えば、図１４に示すように、収納凹部３の表面３ａを断面多角形状となるように形成して、収納凹部３内において、複数のピン２１の先端部２２が円弧状に配列されるように、複数のピン２１を設ける構成としても良い。
【産業上の利用可能性】
【００７６】
以上説明したように、本発明は、液晶表示パネル等の板状物を収納するために使用される収納トレイに適している。
【符号の説明】
【００７７】
１    収納トレイ
１ａ    収納トレイ本体
２    上面
３    収納凹部
３ａ    収納凹部の表面
５    位置規制用凹部
１０    液晶表示パネル（板状物）
１６    ピン（支持部材）
１７    支柱部
１８    先端部
２０    収納トレイ
２１    ピン（支持部材）
２２    先端部
【図１】
2011036826.tif 000003
【図２】
2011036826.tif 000004
【図３】
2011036826.tif 000005
【図４】
2011036826.tif 000006
【図５】
2011036826.tif 000007
【図６】
2011036826.tif 000008
【図７】
2011036826.tif 000009
【図８】
2011036826.tif 000010
【図９】
2011036826.tif 000011
【図１０】
2011036826.tif 000012
【図１１】
2011036826.tif 000013
【図１２】
2011036826.tif 000014
【図１３】
2011036826.tif 000015
【図１４】
2011036826.tif 000016
【手続補正書】
【提出日】平成24年2月3日(2012.2.3)
【手続補正１】
【補正対象書類名】明細書
【補正対象項目名】全文
【補正方法】変更
【補正の内容】
【発明の詳細な説明】
【技術分野】
【０００１】
本発明は、液晶表示パネル等の平板状の物品（以下、「板状物」という。）を収納するために使用される収納トレイに関する。
【背景技術】
【０００２】
従来、液晶表示パネルや携帯電話等の平板状の製品を運送する場合は、これらの製品において傷をつけたり汚したりしないようにするために、所望の製品の形状に合わせて凹部を設けた収納トレイが包装として用いられている。この収納トレイには、通常、複数の同形状の凹部が２次元的に配置されており、これらの凹部に１つずつ製品が収納される構成となっている。
【０００３】
このような収納トレイとしては、例えば、平板の一面に一又は複数の凹部を備え、これら凹部の夫々に、対応する形状及びサイズを有する物品を嵌め込み収納する構成となっているものが開示されている（例えば、特許文献１参照）。また、矩形の外枠の内側に長辺及び短辺に沿って夫々スライド移動する２つの移動枠を備え、これらの移動枠及び前記外枠の残りの２辺により矩形平板状の物品の周縁を支持する構成とした収納トレイが開示されている（例えば、特許文献２参照）。
【０００４】
しかし、上記特許文献１に記載の収納トレイを使用した場合、物品収納用の凹部の大きさ、数、及びこれらの組み合わせを変更した多種の収納トレイが必要となるため、コストが増大するという問題があった。
【０００５】
また、上記特許文献２に記載の収納トレイを使用した場合、移動枠を移動させることにより異なるサイズの液晶表示パネルの収納に対応させることが可能である。しかし、最大サイズの液晶表示パネルを収納可能に構成された外枠に、最小サイズの液晶表示パネルを収納する際の収納効率が低く、多くの液晶表示パネルを保管する際、本来不要な空間が必要となるという問題があった。
【０００６】
そこで、これらの不都合を回避すべく、サイズの異なる平板状の物品を安定して十能することができる収納トレイが提案されている。より具体的には、この収納トレイは、底板の上面にスライド可能に取付けられ、物品の周縁を支持する受け座を夫々の上部に有する複数の受け具と、受け具のスライド域に対応して底板に形成されたピン孔と、ピン孔に装着され、夫々の受け具に設けた係合部と各別に係合して、各受け具を夫々のスライド域内の所定位置に位置決めする位置決めピンとを備えている。そして、このような構成により、平板状の物品をサイズの如何に関わらず、安定して平置き収納することができるとともに、収納形態を変えて複数の物品の一括収納に対応することができると記載されている（例えば、特許文献３参照）。
【先行技術文献】
【特許文献】
【０００７】
【特許文献１】特開２００２−３５３３０２号公報
【特許文献２】特開平１１−３６０７４号公報
【特許文献３】特開２００５−１４５４６１号公報
【発明の概要】
【発明が解決しようとする課題】
【０００８】
しかし、上記特許文献３に記載の収納トレイにおいては、収納される平板状の物品のサイズに合わせて、受け具をスライドする必要があるため、収納作業が繁雑になるという問題があった。特に、携帯電話等の小さい平板状の物品を収納する際には、収納する個数に応じて、多数の受け具をスライドする必要があるため、収納作業がより一層繁雑になるという問題があった。
【０００９】
また、収納する板状物が小さい場合は、受け具により板状物を支持することが困難になるため、運送の際の振動や落下により、収納された物品が上下方向または左右方向に大きく振動し（即ち、ガタツク）、結果として、収納された物品が損傷してしまう場合があるという問題があった。
【００１０】
更に、受け具や受け具をスライドさせるためのピン孔、位置決めピン等を設ける必要があるため、収納トレイの構成が複雑になるとともに、コストが増大するという問題があった。特に、海外への運送を行う場合は、運送後の空の収納トレイを回収するためには、輸送費等のコストがかかるため、回収の必要のない安価な収納トレイが必要になる。
【００１１】
そこで、本発明は、上述の問題に鑑みてなされたものであり、収納された物品の損傷を確実に防止することができるとともに、収納作業を容易に行うことができる安価な収納トレイを提供することを目的とする。
【課題を解決するための手段】
【００１２】
上記目的を達成するために、本発明の収納トレイは、収納トレイ本体と、収納トレイ本体に形成され、板状物を収納するための収納凹部と、収納凹部に設けられるとともに、板状物を支持するための複数の支持部材とを備え、複数の支持部材の先端部が円弧状に配列されるように、複数の支持部材が収納凹部の表面に設けられ、支持部材は、収納凹部の表面に取り付けられ、略円柱形状を有する支柱部と、該支柱部に取り付けられ、略球形状を有する先端部とにより構成され、先端部の径をＲ１、支柱部の径をＲ２とした場合に、Ｒ１＞Ｒ２なる関係が成立することを特徴とする。
【００１３】
同構成によれば、収納凹部のサイズに比し、板状物のサイズが小さい場合であっても、板状物を複数の支持部材により支持することができる。従って、運送の際の振動や落下により、収納された板状物が上下方向または左右方向に大きく振動することを防止することができる。その結果、収納凹部のサイズに比し、板状物のサイズが小さい場合であっても、板状物の損傷を防止することができる。
【００１４】
また、従来の収納トレイとは異なり、収納される板状物のサイズに合わせて受け具等の部材をスライドさせることなく、板状物を収納凹部に収納することができる。従って、収納作業を容易に行うことができる。
【００１５】
また、従来の収納トレイとは異なり、受け具や受け具をスライドさせるためのピン孔、位置決めピン等が不要であるため、収納トレイの構成が簡単になるとともに、コストアップを抑制することができる。
【００１６】
また、サイズの異なる複数の板状物を収納凹部に収納することが可能になる。
【００１７】
また、本発明の収納トレイにおいては、支持部材は、収納凹部の表面に取り付けられた支柱部と、支柱部に取り付けられた先端部とにより構成され、先端部の径をＲ１、支柱部の径をＲ２とした場合に、Ｒ１＞Ｒ２なる関係が成立する構成としているため、板状物が複数の支持部材により支持される際に、隣接する支持部材の各々に設けられた２つの先端部により、板状物を挟持することが可能になる。従って、収納された板状物の上下方向における振動を確実に防止することが可能になるため、結果として、運送の際の振動や落下に起因する板状物の損傷をより一層防止することができる。
【００１８】
また、本発明の収納トレイにおいては、支柱部は略円柱形状を有するとともに、先端部は略球形状を有しているため、板状物を複数の支持部材により支持する際に、板状物と支持部材の接触に起因する板状物の損傷を確実に防止することができる。
【００１９】
本発明の収納トレイは、収納トレイ本体と、収納トレイ本体に形成され、板状物を収納するための収納凹部と、収納凹部に設けられるとともに、板状物を支持するための複数の支持部材とを備え、複数の支持部材の先端部が円弧状に配列されるように、複数の支持部材が収納凹部の表面に設けられ、収納凹部の表面が断面略円弧形状を有するとともに、複数の支持部材は、収納凹部の表面に沿って円弧状に配列されていることを特徴とする。
【００２０】
同構成によれば、収納凹部のサイズに比し、板状物のサイズが小さい場合であっても、板状物を複数の支持部材により支持することができる。従って、運送の際の振動や落下により、収納された板状物が上下方向または左右方向に大きく振動することを防止することができる。その結果、収納凹部のサイズに比し、板状物のサイズが小さい場合であっても、板状物の損傷を防止することができる。
【００２１】
また、従来の収納トレイとは異なり、収納される板状物のサイズに合わせて受け具等の部材をスライドさせることなく、板状物を収納凹部に収納することができる。従って、収納作業を容易に行うことができる。
【００２２】
また、従来の収納トレイとは異なり、受け具や受け具をスライドさせるためのピン孔、位置決めピン等が不要であるため、収納トレイの構成が簡単になるとともに、コストアップを抑制することができる。
【００２３】
また、サイズの異なる複数の板状物を収納凹部に収納することが可能になる。
【００２４】
また、本発明の収納トレイにおいては、収納凹部の表面が断面略円弧形状を有するとともに、複数の支持部材は、収納凹部の表面に沿って円弧状に配列されているため、簡単な構成で、複数の支持部材の先端部を円弧状に配列させることが可能になる。
【００２５】
また、本発明の収納トレイにおいては、支持部材は柔軟性を有する構成としてもよい。
【００２６】
同構成によれば、板状物のサイズに応じて、支持部材を変形自在に撓ませることが可能になる。従って、板状物のサイズ変化に対応して、板状物を収納することができる。
【００２７】
また、本発明の収納トレイにおいては、収納トレイ本体が、ＡＢＳ樹脂、ポリプロピレン樹脂、発泡ＰＥＴ樹脂およびポリスチレン樹脂からなる群より選択されるいずれかの材料により形成されていてもよい。
【００２８】
同構成によれば、収納トレイの成形性を向上させるとともに、コストの低減化と軽量化を図ることができる。
【００２９】
また、本発明の収納トレイにおいては、支持部材が、ポリ塩化ビニル、ＡＢＳ樹脂、ポリプロピレン樹脂、発泡ＰＥＴ樹脂、およびポリスチレン樹脂からなる群より選択されるいずれかの材料により形成されていてもよい。
【００３０】
同構成によれば、安価かつ汎用性のある材料により、支持部材に柔軟性を付与することが可能になる。
【００３１】
また、本発明の収納トレイにおいては、支持部材と収納トレイ本体が同一の材料により形成されていてもよい。
【００３２】
同構成によれば、支持部材を、例えば、プレス成型により形成することができるため、支持部材の製造が容易になるとともに、製造コストを抑制することができる。
【００３３】
また、本発明の収納トレイは、収納された物品の損傷を確実に防止しすることができるとともに、収納作業を容易に行うことができるという優れた特性を備えている。従って、本発明は、板状物が液晶表示パネルである収納トレイに好適に使用される。
【発明の効果】
【００３４】
本発明によれば、収納された物品の損傷を確実に防止することができるとともに、収納作業を容易に行うことができる安価な収納トレイを提供することが可能になる。
【図面の簡単な説明】
【００３５】
【図１】本発明の第１の実施形態に係る収納トレイの斜視図である。
【図２】本発明の第１の実施形態に係る収納トレイに収納される液晶表示パネルを示す斜視図である。
【図３】本発明の第１の実施形態に係る収納トレイに設けられた収納凹部の拡大斜視図である。
【図４】図３のＡ−Ａ断面図である。
【図５】本発明の第１の実施形態に係る収納トレイの収納凹部に液晶表示パネルを収納した状態を示す断面図である。
【図６】本発明の第１の実施形態に係る収納トレイのピンが有する柔軟性を説明するための断面図である。
【図７】本発明の第１の実施形態に係る収納トレイのピンを構成する支柱部の径と先端部の径との関係を説明するための断面図である。
【図８】本発明の第１の実施形態に係る収納トレイの収納凹部にサイズの異なる複数の液晶表示パネルを収納した状態を示す断面図である。
【図９】本発明の第２の実施形態に係る収納トレイの斜視図である。
【図１０】本発明の第２の実施形態に係る収納トレイに設けられた収納凹部の拡大斜視図である。
【図１１】図１０のＢ−Ｂ断面図である。
【図１２】本発明の第２の実施形態に係る収納トレイの収納凹部に液晶表示パネルを収納した状態を示す断面図である。
【図１３】本発明の第２の実施形態に係る収納トレイの収納凹部に液晶表示パネルを傾斜させた状態で収納した状態を示す断面図である。
【図１４】収納トレイに設けられた収納凹部の変形例を説明するための断面図である。
【発明を実施するための形態】
【００３６】
以下、本発明の実施形態を図面に基づいて詳細に説明する。尚、本発明は、以下の実施形態に限定されるものではない。
【００３７】
（第１の実施形態）
図１は、本発明の第１の実施形態に係る収納トレイの斜視図である。図１に示すように、本実施形態における収納トレイ１は、収納トレイ本体１ａと、収納トレイ本体１ａが有する上面２に２次元的に配列されて形成されるとともに、液晶表示パネル等の板状物を収納するための収納部としての複数の収納凹部３とを備えている。
【００３８】
なお、本実施形態においては、図１に示すように、収納トレイ１に収納凹部３が１２個設けられている。この収納凹部３の個数は、特に限定されず、少なくとも１個の収納凹部３が収納トレイ１に設けられていれば良い。
【００３９】
また、図１に示すように、収納トレイ１は、上面２に配列された複数の位置規定用凹部５を備えている。この位置規制用凹部５は、複数の収納トレイ１を多段に積み重ねた際に、上下の収納トレイ１の位置を固定させて規定するものである。
【００４０】
また、位置規制用凹部５は、図１に示すように、収納トレイ１の側部４の近傍と収納凹部３の周囲に設けられている。そして、複数の収納トレイ１を積み重ねる際に、下側の収納トレイ１に設けられた位置規定用凹部５に、上側の収納トレイ１に設けられた位置規定用凹部５の底部が嵌合することにより、上下に積み重ねた収納トレイ１が固定されて安定化し、運送時の振動などによって積み重なった収納トレイ１の位置ズレを防止することができる。
【００４１】
また、この位置規制用凹部５は、収納トレイ１を上下に積み重ねた際に、下側の収納凹部３に収納された板状物が上側の収納トレイ１と接触しないように、下側の収納トレイ１の上面２と上側の収納トレイ１の下面６との間における隙間を確保する機能も有する。
【００４２】
次に、収納トレイに収納される板状物の一例としての液晶表示パネルについて説明する。図２は、本発明の第１の実施形態に係る収納トレイに収納される液晶表示パネルを示す斜視図である。
【００４３】
図２に示すように、液晶表示パネル１０は、スイッチング素子であるＴＦＴ（Thin-Film Transistor）が複数形成されたＴＦＴ基板７と、ＴＦＴ基板７に対向して配置されたＣＦ基板８と、ＴＦＴ基板７及びＣＦ基板８の間に設けられた液晶層（図示省略）とを備えている。なお、ＴＦＴ基板７及びＣＦ基板８は、それぞれ矩形板状に形成されており、液晶表示パネル１０も矩形板状に形成されている。
【００４４】
また、液晶表示パネル１０において、ＴＦＴ基板７の表面には、偏光板（不図示）が設けられており、ＣＦ基板８の表面には、偏光板９が設けられている。また、ＴＦＴ基板７には、液晶表示パネル１０の駆動を制御するための回路部品１２が搭載されるとともに、当該回路部品１２に信号を供給するためのフレキシブルプリント基板１３が接続されている。また、フレキシブルプリント基板１３には、外部基板（不図示）に接続される端子部１５が形成されている。
【００４５】
なお、この液晶表示パネル１０は、収納トレイ１に収納される板状物の一例であり、収納される板状物はこれに限られるものではない。
【００４６】
次に、収納トレイ１に設けられた収納凹部３について説明する。図３は、本発明の第１の実施形態に係る収納トレイに設けられた収納凹部の拡大斜視図であり、図４は、図３のＡ−Ａ断面図である。
【００４７】
図３、図４に示すように、収納凹部３には、収納凹部３に収納される上述の液晶表示パネル１０を支持する柔軟性のある支持部材である複数のピン１６が設けられており、当該ピン１６は、収納凹部３の表面３ａに突設されている。
【００４８】
また、ピン１６は、図４に示すように、収納凹部３の表面３ａに取り付けられた支柱部１７と、当該支柱部１７の液晶表示パネル支持側端部に取り付けられた先端部１８により構成されている。この支柱部１７は、略円柱形状を有しており、先端部１８は、略球形状を有している。なお、支柱部１７及び先端部１８は、それぞれ柔軟性を有している。
【００４９】
また、図３、図４に示すように、収納凹部３は、その表面３ａが断面略円弧形状となるように形成されており、収納凹部３の表面３ａに突設された複数のピン１６は、収納凹部３の表面３ａに沿って円弧状に配列されている。即ち、複数のピン１６の先端部１８が円弧状に配列されるように、複数のピン１６が収納凹部３の表面３ａに設けられている。
【００５０】
また、本実施形態における収納トレイ本体１ａを形成する材料としては、特に限定はされないが、収納トレイ１の成形性を向上させるとともに、コストの低減化と軽量化を図るとの観点から、例えば、ＡＢＳ樹脂、ポリプロピレン樹脂、発泡ＰＥＴ樹脂およびポリスチレン樹脂等の材料で形成されていることが好ましい。
【００５１】
また、上述のピン１６を形成する材料としては、特に限定されないが、安価かつ汎用性のある材料により、ピン１６（即ち、支柱部１７及び先端部１８）に柔軟性を付与するとの観点から、ポリ塩化ビニル、ＡＢＳ樹脂、ポリプロピレン樹脂、発泡ＰＥＴ樹脂、およびポリスチレン樹脂等の材料により形成されていることが好ましい。
【００５２】
また、ピン１６を上述の収納トレイ本体１ａと同一の材料により形成する構成としても良い。このような構成により、ピン１６を、例えば、プレス成型により形成（加工）することが可能になるため、ピン１６の製造が容易になるとともに、製造コストを抑制することができる。
【００５３】
以上に説明した収納トレイ１の収納凹部３に液晶表示パネル１０を収納した状態を図５に示す。図５に示すように、収納凹部３に液晶表示パネル１０を収納すると、収納凹部３の表面３ａに突設されたピン１６の先端部１８が液晶表示パネル１０と接触するとともに、ピン１６により、液晶表示パネル１０が支持される。
【００５４】
この際、上述のごとく、複数のピン１６の先端部１８が円弧状に配列されるように、複数のピン１６が収納凹部３の表面３ａに設けられているため、図５に示すように、収納凹部３のサイズに比し、液晶表示パネル１０のサイズが小さい場合であっても、液晶表示パネル１０を複数のピン１６により支持することができる。
【００５５】
従って、運送の際の振動や落下により、収納された液晶表示パネル１０が上下方向または左右方向に大きく振動することを防止することができ、結果として、収納凹部３のサイズに比し、液晶表示パネル１０のサイズが小さい場合であっても、液晶表示パネル１０の損傷を防止することができる。
【００５６】
また、本実施形態の収納トレイ１においては、上記従来の収納トレイとは異なり、収納される液晶表示パネルのサイズに合わせて受け具等の部材をスライドさせることなく、液晶表示パネル１０を収納凹部３に収納することができる。従って、収納作業を容易に行うことができる。
【００５７】
また、上記従来の収納トレイとは異なり、受け具や受け具をスライドさせるためのピン孔、位置決めピン等が不要であるため、収納トレイの構成が簡単になるとともに、コストアップを抑制することができる。
【００５８】
また、上述のごとく、複数のピン１６の先端部１８が円弧状に配列されるように、複数のピン１６が収納凹部３の表面３ａに設けられているため、図８に示すように、サイズの異なる複数（図８においては２個）の液晶表示パネル１０を１個の収納凹部３に収納することが可能になる。なお、上述のごとく、ピン１６は柔軟性を有するため、収納される液晶表示パネル１０のサイズに対応させて、ピン１６の配置を変更する必要はない。
【００５９】
また、上述のごとく、ピン１６は柔軟性を有するため、図６に示すように、液晶表示パネル１０のサイズに応じて、ピン１６の支柱部１７を変形自在に撓ませる（この場合、図中の矢印Ｘの方向に移動させる）ことが可能になる。従って、液晶表示パネル１０のサイズ変化に対応して、当該液晶表示パネル１０を収納することができる。
【００６０】
即ち、本実施形態においては、液晶表示パネル１０のサイズに関係なく（収納される液晶表示パネル１０がどのようなサイズであっても）、液晶表示パネル１０を収納できるとともに、運送の際の振動や落下に起因する液晶表示パネル１０の損傷を防止することができる。
【００６１】
また、本実施形態においては、図７に示すように、先端部１８の径Ｒ１が支柱部１７の径Ｒ２よりも大きく（即ち、Ｒ１＞Ｒ２）なるように構成されている。従って、液晶表示パネル１０がピン１６により支持される際に、図７に示すように、隣接するピン１６の各々に設けられた２つの先端部１８により、上下方向（この場合、図７に示す矢印Ｙの方向）において、液晶表示パネル１０を挟持することが可能になる。その結果、収納された液晶表示パネル１０の上下方向における振動を確実に防止することが可能になるため、運送の際の振動や落下に起因する液晶表示パネル１０の損傷をより一層防止することができる。
【００６２】
また、上述のごとく、この支柱部１７は、略円柱形状を有するとともに、先端部１８は、略球形状を有している。また、支柱部１７及び先端部１８は、それぞれ柔軟性を有している。従って、液晶表示パネル１０を複数のピン１６により支持する際に、液晶表示パネル１０とピン１６との接触に起因する液晶表示パネル１０の損傷を確実に防止することができる。
【００６３】
また、上述のごとく、収納凹部３の表面３ａに突設された複数のピン１６は、収納凹部３の表面３ａに沿って円弧状に配列されているため、簡単な構成で、複数のピン１６の先端部１８を円弧状に配列させることが可能になる。
【００６４】
（第２の実施形態）
次に、本発明の第２の実施形態について説明する。図９は、本発明の第２の実施形態に係る収納トレイの斜視図であり、図１０は、本発明の第２の実施形態に係る収納トレイに設けられた収納凹部の拡大斜視図であり、図１１は、図１０のＢ−Ｂ断面図である。なお、上記第１の実施形態と同様の構成部分については同一の符号を付してその説明を省略する。また、収納される液晶表示パネルについては、上述の第１の実施形態において説明したものと同様であるため、ここでは詳しい説明を省略する。また、本実施形態においても、板状物として、液晶表示パネルを例に挙げて説明する。
【００６５】
本実施形態の収納トレイ２０においては、図９〜図１１に示すように、収納凹部３は、その表面３ａが断面略矩形状となるように形成されている。また、収納凹部３の表面３ａには、複数のピン２１が突設されている。そして、収納凹部３内において、複数のピン２１の先端部２２が円弧状に配列されるように、複数のピン２１が収納凹部３の表面３ａに設けられている。
【００６６】
また、上述のピン２１を形成する材料としては、特に限定されないが、コストの低減化を図るとの観点から、上述の収納トレイ本体１ａと同一材料、即ち、ＡＢＳ樹脂、ポリプロピレン樹脂、発泡ＰＥＴ樹脂およびポリスチレン樹脂等の材料により形成されていることが好ましい。このような構成により、上述の第１の実施形態と同様に、ピン２１を、例えば、プレス成型により形成（加工）することが可能になるため、ピン２１の製造が容易になるとともに、製造コストを抑制することができる。
【００６７】
なお、本実施形態のピン２１は、上記第１の実施形態におけるピン１６と異なり、柔軟性を有していなくても良い。
【００６８】
以上に説明した収納トレイ２０の収納凹部３に液晶表示パネル１０を収納した状態を図１２に示す。図１２に示すように、収納凹部３に液晶表示パネル１０を収納すると、収納凹部３の表面３ａに突設されたピン２１の先端部２２が液晶表示パネル１０と接触するとともに、ピン２１により、液晶表示パネル１０が支持される。
【００６９】
この際、収納凹部３内において、複数のピン２１の先端部２２が円弧状に配列されるように、複数のピン２１が収納凹部３の表面３ａに設けられているため、図１２に示すように、収納凹部３のサイズに比し、液晶表示パネル１０のサイズが小さい場合であっても、液晶表示パネル１０を複数のピン２１により支持することができる。
【００７０】
従って、運送の際の振動や落下により、収納された液晶表示パネル１０が上下方向または左右方向に大きく振動することを防止することができ、結果として、収納凹部３のサイズに比し、液晶表示パネル１０のサイズが小さい場合であっても、液晶表示パネル１０の損傷を防止することができる。
【００７１】
また、本実施形態の収納トレイ２０においては、上記従来の収納トレイとは異なり、収納される液晶表示パネルのサイズに合わせて受け具等の部材をスライドすさせることなく、液晶表示パネル１０を収納凹部３に収納することができる。従って、収納作業を容易に行うことができる。
【００７２】
また、上記従来の収納トレイとは異なり、受け具や受け具をスライドさせるためのピン孔、位置決めピン等が不要であるため、収納トレイの構成が簡単になるとともに、コストアップを抑制することができる。
【００７３】
また、上述のごとく、収納凹部３内において、複数のピン２１の先端部２２が円弧状に配列されるように、複数のピン２１が収納凹部３の表面３ａに設けられているため、図１２に示すように、サイズの異なる複数（図１２においては２個）の液晶表示パネル１０を１個の収納凹部３に収納することが可能になる。
【００７４】
また、ピン２１が柔軟性を有しない場合であっても、図１３に示すように、液晶表示パネル１０を傾斜させた状態で、ピン２１により支持することが可能になる。従って、液晶表示パネル１０のサイズ変化に対応して、当該液晶表示パネル１０を収納することができる。
【００７５】
即ち、本実施形態においても、上述の第１の実施形態の場合と同様に、液晶表示パネル１０のサイズに関係なく（収納される液晶表示パネル１０がどのようなサイズであっても）、液晶表示パネル１０を収納できるとともに、運送の際の振動や落下に起因する液晶表示パネル１０の損傷を防止することができる。
【００７６】
なお、上記実施形態は以下のように変更しても良い。
【００７７】
上述の実施形態においては、収納凹部３の表面３ａが、断面略円弧形状や断面略矩形状となるように形成したが、収納凹部３内において、複数のピンの先端部が円弧状に配列されるように、複数のピンを設けることができる形状であれば、どのような形状を有していても良い。例えば、図１４に示すように、収納凹部３の表面３ａを断面多角形状となるように形成して、収納凹部３内において、複数のピン２１の先端部２２が円弧状に配列されるように、複数のピン２１を設ける構成としても良い。
【産業上の利用可能性】
【００７８】
以上説明したように、本発明は、液晶表示パネル等の板状物を収納するために使用される収納トレイに適している。
【符号の説明】
【００７９】
１    収納トレイ
１ａ    収納トレイ本体
２    上面
３    収納凹部
３ａ    収納凹部の表面
５    位置規制用凹部
１０    液晶表示パネル（板状物）
１６    ピン（支持部材）
１７    支柱部
１８    先端部
２０    収納トレイ
２１    ピン（支持部材）
２２    先端部
【手続補正２】
【補正対象書類名】特許請求の範囲
【補正対象項目名】全文
【補正方法】変更
【補正の内容】
【特許請求の範囲】
【請求項１】
収納トレイ本体と、
前記収納トレイ本体に形成され、板状物を収納するための収納凹部と、
前記収納凹部に設けられるとともに、前記板状物を支持するための複数の支持部材と
を備え、
前記複数の支持部材の先端部が円弧状に配列されるように、前記複数の支持部材が前記収納凹部の表面に設けられ、
前記支持部材は、前記収納凹部の表面に取り付けられ、略円柱形状を有する支柱部と、該支柱部に取り付けられ、略球形状を有する前記先端部とにより構成され、前記先端部の径をＲ１、前記支柱部の径をＲ２とした場合に、Ｒ１＞Ｒ２なる関係が成立することを特徴とする収納トレイ。
【請求項２】
収納トレイ本体と、
前記収納トレイ本体に形成され、板状物を収納するための収納凹部と、
前記収納凹部に設けられるとともに、前記板状物を支持するための複数の支持部材と
を備え、
前記複数の支持部材の先端部が円弧状に配列されるように、前記複数の支持部材が前記収納凹部の表面に設けられ、
前記収納凹部の表面が断面略円弧形状を有するとともに、前記複数の支持部材は、前記収納凹部の表面に沿って円弧状に配列されていることを特徴とする収納トレイ。
【請求項３】
前記支持部材は柔軟性を有することを特徴とする請求項１または請求項２に記載の収納トレイ。
【請求項４】
前記収納トレイ本体が、ＡＢＳ樹脂、ポリプロピレン樹脂、発泡ＰＥＴ樹脂およびポリスチレン樹脂からなる群より選択されるいずれかの材料により形成されていることを特徴とする請求項１〜請求項３のいずれか１項に記載の収納トレイ。
【請求項５】
前記支持部材が、ポリ塩化ビニル、ＡＢＳ樹脂、ポリプロピレン樹脂、発泡ＰＥＴ樹脂、およびポリスチレン樹脂からなる群より選択されるいずれかの材料により形成されていることを特徴とする請求項１〜請求項４のいずれか１項に記載の収納トレイ。
【請求項６】
前記支持部材と前記収納トレイ本体が同一の材料により形成されていることを特徴とする請求項１〜請求項３のいずれか１項に記載の収納トレイ。
【請求項７】
前記板状物が液晶表示パネルであることを特徴とする請求項１〜請求項６のいずれか１項に記載の収納トレイ。
［補正の理由等］
請求項１の発明において、補正前の請求項３，４の内容を付加する補正を行いました。また、補正前の請求項５を独立形式に変更し、新たな請求項２としました。また、請求項３〜５を削除し、補正前の請求項２を新たな請求項３、補正前の請求項６〜９を新たな請求項４〜７としました。
【国際調査報告】
2011036826.tif 000017
2011036826.tif 000018
2011036826.tif 000019
2011036826.tif 000020